(57)【要約】【課題】チャンバ−内の水位が高い時には満流でフルにサイフォン力を発揮して多量の水を処理し、チャンバ−内の水位が低くなるとサイフォン力が切れ、又はサイフォン力が弱まるサイフォン排水システムを提供する。【解決手段】水廻り器具と横引き管の間にチャンバ−を接続したサイフォン排水システムにあって、チャンバ−と横引き管にバイパス管を設置し、当該バイパス管のチャンバ−内の開口位置を横引き管の接続位置よりも高い位置に備えたサイフォン排水システム。１‥チャンバ−、１ａ‥チャンバ−周縁、１ｂ‥チャンバ−底部、２‥水廻り器具からの排水管、３‥横引き管、３ａ‥横引き管の開口部、４‥床スラブ、１０‥バイパス管、１０ａ‥バイパス管径、１０ｂ‥バイパス管と横引き管との接合部とチャンバ−との間隔、１０ｃ‥バイパス管背丈、１０ｄ‥バイパス管開口部の高さ、１１‥バイパス管の開口部。【選択図】図２
2007278058.tif 000002
【特許請求の範囲】
【請求項１】
水廻り器具と横引き管の間に貯留部を接続したサイフォン排水システムにあって、貯留部と横引き管にバイパス管を設置し、当該バイパス管の貯留部内の開口位置を前記横引き管の接続位置よりも高い位置に備えたことを特徴とする貯留部を備えたサイフォン排水システム。
【請求項２】
横引き管は貯留部の底面に接続された請求項１記載の貯留部を備えたサイフォン排水システム。
【請求項３】
横引き管は貯留部の底面近傍の側面に接続された請求項１記載の貯留部を備えたサイフォン排水システム。
【請求項４】
バイパス管は横引き管より高い位置に向かって伸び、次いで曲がり部を有し、更に曲がり部から下方に向かって伸びてバイパス開口部至る請求項１乃至３いずれか１記載の貯留部を備えたサイフォン排水システム。
【請求項５】
バイパス管は貯留部の側面に接続された請求項１乃至３いずれか１記載の貯留部を備えたサイフォン排水システム。
【請求項６】
貯留部に横引き管が複数本接続され、これら横引き管の少なくとも一つにバイパス管が設置された請求項１乃至５いずれか１記載の貯留部を備えたサイフォン排水システム。
【請求項７】
貯留部が複数に区画され、かつ、各貯留部を繋ぐ連通部を備え、各区画された貯留部に横引き管及びバイパス管が設置された請求項１乃至５いずれか１記載の貯留部を備えたサイフォン排水システム。
【請求項８】
バイパス管の貯留部内の開口位置を連通部よりも低い位置に備えた請求項７記載の貯留部を備えたサイフォン排水システム。
【発明の詳細な説明】
【技術分野】
【０００１】
本発明はサイフォン排水システムの改良に関するものである。
【背景技術】
【０００２】
従来の勾配排水システムに対し、サイフォン排水システムが提案されている（特許文献１）。かかるサイフォン排水システムは横引き管を床スラブ上を無勾配にて敷設できる特徴があり、施工性及び居住性の面でも優れている。ただし、排水からサイフォン力が生じるまでの間にタイムラグがあることも事実であり、ユニットバス（ＵＢ）等のように一度に大量の排水がある場合には、チャンバ−や勾配排水管等の貯留部（以下、チャンバ−をもって説明する）を備えて排水を一旦溜めておく必要があった。かかるチャンバ−を備えたサイフォン排水システムは、通常は水廻り器具に備えられたトラップと横引き管との間にチャンバ−が備えられ、チャンバ−の底部或いはこれに近い位置に横引き管が装着されるものである。
【０００３】
【特許文献１】特開２０００−２９９４４７号公報
【０００４】
さて、チャンバ−を備えたサイフォン排水システムにあって、水廻り器具からチャンバ−内への排水の直後は、サイフォンが利き始めまでの間は、チャンバ−内の水位が上昇するが、しばらくしてサイフォン力が発揮するようになるとチャンバ−内に流入する排水量よりサイフォンにおいて処理できる流量が勝り水位が下降してくる。その際、チャンバ−内の水位が横引き管が接続されているところまで下降すると、エアを吸い込みながら排水する。このため、ズ−ズ−という騒音が発生していた。そしてこの音はエアを吸い込みサイフォン力が減少している状態になるので、水廻り器具からチャンバ−に流入する量と、排水される量がちょうど平衡状態をキ−プすることになり、長い間鳴り続ける。更に、排水終了時にはサイフォン切れの際のゴボゴボという音が発生した。
【０００５】
これらの排水騒音防止のためには、サイフォンブレ−カ−等の設置により抑えることもできたが、これは常にサイフォン力を制御（低下）するものであり、チャンバ−内の水位が上昇した状態でもサイフォン力を弱めてしまい、排水処理が追いつかず水が溢れてくるという欠点があった。
【発明の開示】
【発明が解決しようとする課題】
【０００６】
本発明は以上のような従来の技術に鑑みてなされたものであって、チャンバ−内の水位が高い時には満流でフルにサイフォン力を発揮して多量の水を処理し、チャンバ−内の水位が低くなるとサイフォン力が切れ、又はサイフォン力を弱めるチャンバ−を備えたサイフォン排水システムを提供するものである。
【課題を解決するための手段】
【０００７】
本発明の要旨は、水廻り器具と横引き管の間にチャンバ−を接続したサイフォン排水システムにあって、チャンバ−と横引き管にバイパス管を設置し、当該バイパス管のチャンバ−内の開口位置を横引き管の接続位置よりも高い位置に備えたことを特徴とするサイフォン排水システムである。
【発明の効果】
【０００８】
本発明は以上の通りであり、チャンバ−内の水位が高い時には横引き管内が満流流れとなりフルにサイフォン力を発揮して多量の水を処理し、チャンバ−内の水位が低くなるとバイパス管よりエアが巻き込まれてサイフォン力が弱まるというチャンバ−を備えたサイフォン排水システムが提供できたものである。
【発明を実施するための最良の形態】
【０００９】
既存のチャンバ−を備えたサイフォン排水システムにあっては、例えばチャンバ−の底に横引き管が接続されているだけであるので、チャンバ−内への流入量が多いと排水が溢れてしまうことがあった。そして、サイフォン力が働いたとしてもエアを吸い込みながらの平衡状態が長く続くこととなるため、エアを吸い込むズ−ズ−音が発生してしまうことは前述した通りである。
【００１０】
本排水システムはかかる欠点を取り除くためになされたものであり、本システムの全体は以下の通りである。先ず、水廻り器具からの排水開始の直後にあっては、サイフォン開始までのタイムラグがあるためチャンバ−内に水が溜り水位が上昇する。このチャンバ−内の水位はバイパス管の開口より水位が上がる。そのため、開口部よりエアを吸い込めない状態となる。
【００１１】
次に、横引き管によるサイフォンが開始された際には、バイパス管がエアを吸えない状態となっている。そして、バイパス管からも水を吸い込み、バイパス管の背丈によっても異なるが、バイパス管側も排水処理されることともなる。このため、横引き管がフルにサイフォン力を発揮することとなりチャンバ−内の水はサイフォン力によって排水が行われる。横引き管にフルにサイフォン力がかかると、排水処理量の方がチャンバ−への流入量より大きくなり、チャンバ−内の水位が下降して行く。
【００１２】
サイフォン排水の後半にあっては、チャンバ−内の水位が下がり、バイパス管の開口部が水面より出てくる。このため、バイパス管はエアのみを吸い、横引き管がチャンバ−内より水のみを吸う状態となる。従って、チャンバ−内より横引き管が水とエアを同時に吸うことがなくなり、ズ−ズ−音という騒音は発生しない。そして、サイフォン力が弱まることとなり、排水処理量とチャンバ−内への流入量が等しくなり平衡状態となる。
【００１３】
排水の最終段階では、バイパス管から入るエアの割合が多くなり、排水完了時にはサイフォンが切れている。このため、排水完了時のゴボゴボという騒音がなくなる。
【００１４】
このように、本発明のチャンバ−排水システムにあっては、横引き管の他にチャンバ−よりバイパス管を配置し、チャンバ−内の水位の調整を行わせるものであり、これによって水廻り器具からのチャンバ−内への流入量と横引き管からの排水量を調節したもので、チャンバ−内の水位によって排水量を調整し、排水時の騒音を低減したものである。
【００１５】
横引き管はチャンバ−の底面或いは側面の底面に近い部位に接続される（請求項２、３）のが排水システム上から好ましく、一方、バイパス管はその開口部はチャンバ−内の前記横引き管の接続部よりも高いところに位置して備えられるものであり、チャンバ−の側面を乗り越えて又は側面に接続される（請求項４、５）ものである。バイパス管について更に言えば、横引き管より高い位置に向かって伸び、次いで曲がり部を有し、更に曲がり部から下方に向かって貯留部内のバイパス開口部至る（請求項４）ものであり、具体的には、逆溝形状、逆Ｕ字状、逆Ｖ字状等をなすものである。
【００１６】
尚、チャンバ−に横引き管が複数本接続される場合もあるが、この場合、これらの横引き管の少なくとも一つにバイパス管が設置されれば十分な場合もある（請求項６）。
【００１７】
尚、本発明の貯留部をチャンバ−にて代表して説明しているが、多量の排水を溜めるチャンバ−は勿論であるが、かかる役目をなす従来の勾配排水管、太径の排水管等が挙げられる。貯留部の形状は特に限定されるものではなく、縦長の形状であっても横に幅の広い形状であってもよいことは勿論である。更に、貯留部は一つとは限定されるものでなく、貯留部を複数に区画したものであっても、或いは独立した複数の貯留部であってもよいことは言うまでもない。
【００１８】
即ち、チャンバ−は複数に区画され、かつ、各チャンバ−を繋ぐ連通部を備えたものであってもよく、この場合、各区画されたチャンバ−に横引き管及びバイパス管が設置され（請求項７）、バイパス管のチャンバ−内の開口位置は、連通部よりも低い位置に備える（請求項８）ものである。
【００１９】
かかるチャンバ−の区画方法は任意であり、基本的には一つのチャンバ−の内部をチャンバ−の周縁壁よりも背丈の低い仕切り壁をもって区画することが例示できる。この場合には仕切り壁の上端を連通部とするものである。又、仕切り壁にてチャンバ−内を完全に区画し、その仕切り壁に連通穴を形成することも可能である。更に、二つのチャンバ−を構成し、これらを連結する連通管を備えることも可能である。尚、チャンバ−を複数区画した際には、水廻り器具からの排水管は各チャンバ−夫々導入することもできる。
【００２０】
チャンバ−が複数形成された上記例にあって、水廻り器具から一つのチャンバ−内へ排水が流れ込む場合をもって説明すると、通常の排水時にあっては排水が流れ込む側のチャンバ−にてサイフォン発生が起こり、別のチャンバ−に備えたバイパスよりエアが入ることとなるが、一度に多量の排水があった場合には、連通部（連通穴、連通管）から排水が他のチャンバ−内に流れ込んで、大量の排水を貯留し、かつ、いずれのチャンバ−からもサイフォン力をもたらすものである。
【実施例】
【００２１】
以下、図面をもって本発明を更に詳細に説明する。図１は本発明の第１実施例を示す側面図（Ａ）及び平面図（Ｂ）である。図中、１はチャンバ−（貯留部）、２は図示しない水廻り器具からの排水管である。３は例えば２０φの横引き管であり、チャンバ−１は周縁を１ａ、底部を１ｂにて構成したものであり、通常は蓋によって閉鎖されるが、かかる蓋は図示しない。そして、前記の横引き管３はチャンバ−１の底部１ｂに接続され、床スラブ４上に無勾配にて敷設されている。この横引き管３の先端は図示しない排水立て管に水頭差をもって合流され、サイフォン力をもたらす管である。
【００２２】
さて、図例ではバイパス管１０がチャンバ−１の側面を貫いて接続されたものであり、開口部１１は横引き管３の接続部（開口部）３ａよりも１０ｄ（バイパス管の開口部の高さ）だけ高い位置にある。そして、バイパス管１０の後端は横引き管３にチャンバ−１外で接続されている例である。
【００２３】
従って、器具からの排水がチャンバ−１内に流入すると、横引き管３内に流れ込むが、サイフォンが起動していない間にチャンバ−１内に水が溜ることとなる。そして、水位が１０ｄのところに来ると、バイパス管１０の開口部１１も塞がれてしまう。この状態において、サイフォン力が加わると、水は横引き管３及びバイパス管１０を通ってサイフォン力によって排水される。しかるにチャンバ−１内の水位が下がって１０ｄになるとバイパス管１０内よりエアが吸い込まれるが、横引き管３はそのまま満流にてサイフォンが起動している状態となる。ただし、バイパス管１０よりエアが入り込むため、その分サイフォン力は低下する。そして、サイフォン力が低下しつつ排水が続けられ、サイフォン切れの際にも横引き管３よりエアを引き込むことはほとんどない。
【００２４】
このため、サイフォン起動中にあって、横引き管３より水を吸い込むことがなく、ズ−ズ−という騒音がなくなり、更にサイフォンの終了時にエアを巻き込むことによるゴボゴボという騒音も低減されることとなる。
【００２５】
尚、図にあって、水廻り器具からの排水管２を一本図示したが、本発明はこれに限られるものではなく、複数の水廻り器具からの排水管をこのチャンバ−１に接続することができることは言うまでもない。
【００２６】
図２は本発明の第２実施例を示す側面図（Ａ）及び平面図（Ｂ）である。バイパス管１０は横引き管３より高い位置に向かって伸び、次いで曲がり部を有し、更に曲がり部から下方に向かって伸びてバイパス開口部１１至り、チャンバ−１の側面を乗り越えて逆溝形状をなしている例である。バイパス管１０の径１０ａは通常２０Ａ、１６Ａ、１３Ａが採用され、一般に小径になるほど騒音が小さくなる。又、バイパス管１０の横引き管３からの背丈（バイパス管高さ）１０ｃは任意であるが、一般的に２０ｃｍ以上の高さではバイパス管から水が吸えなくなり、これ以下にあっては排水兼用の管となり得るものである。次に、バイパス管１０と横引き管３との接合部とチャンバ−１との間隔１０ｂは任意ではあるが、施工性、点検時の作業性等から間隔１０ｂが短い程よく、具体的には１００ｃｍ以内が望ましい。更に、バイパス管１０の開口部１１の高さ１０ｄは好ましくは２〜５ｃｍ程度が良く、一般的に言えば、１０ｄが小さい程騒音の発生する時間が短くなるという特徴がある。これらの各条件は、主として一度に排水される排水量を考慮して選択されることとなる。
【００２７】
図３は本発明の第２実施例の変形例を示す側面図である。この例では、バイパス管１０の曲がり部（図３の水平部）がチャンバ−１の側面を貫いて逆溝形状をなしてバイパス開口部が下方に向いている例であり、チャンバ−１及びバイパス管１０の構成がコンパクトにまとめられた例である。
【００２８】
図４は本発明の第３実施例を示す斜視図である。即ち、チャンバ−１に横引き管３が二本接続された例であり、夫々の横引き管３にバイパス管１０を接続したものである。ただし、この内の一つにのみバイパス管１０を備えるだけで良い場合もある。
【００２９】
図５は本発明の第４実施例を示す斜視図（Ａ）及び側面図（Ｂ）である。即ち、チャンバ−１内を周縁１ａよりも背丈の低い仕切り壁１ｃにて二つの室１Ａ、１Ｂに区画されたものであり、このため、室１Ａ、１Ｂは背丈の低い仕切り壁１ｃの頂部をもって連通部１ｄとする構造である。そして、横引き管３は各室１Ａ、１Ｂに別々に備えられ、バイパス管１０も夫々に設置された例である。バイパス管１０の開口部１１の高さ１０ｄは、連通部１ｄ、即ち仕切り部材１ｃの頂部よりも低いことが好ましい。
【００３０】
尚、図例では室１Ａに水廻り器具からの排水管２が接続されたものであるが、室１Ｂ側にも排水管２が接続されても良く、更には、複数の水廻り器具からの排水管（一点鎖線で示す）が室１Ａ又は１Ｂに接続することができることは言うまでもない。室１Ａ及び１Ｂの容量の大きさは任意に形成すれば良く、例えば、主としてサイフォン排水に供される室１Ａ側の容量を小さくするように構成すれば、排水で満水になるまでの時間が短くなり、より短時間でサイフォン現象が生じさせることができる。
【００３１】
さて、排水の流れについて説明すると、排水管２から導入された排水は、室１Ａに流れ込む。そして、室１Ａに接続されている横引き管３内に流れ込み、排水で満たされると、サイフォン現象が発生し連続的に排水される。そして、バイパス管１０も図１にて説明したと同じ機能を果たす。一方、ＵＢ等の水廻り器具からの溜め流し排水の際は、室１Ａのみでは処理能力が不足するので、排水は仕切り壁１ｃの頂部の連通部１ｄを乗り越えて室１Ｂ内にまで排水が溜る。従って、この室１Ｂ側でも室１Ａと同様の排水効果がもたらされることとなる。
【００３２】
図６は本発明の第５実施例を示す斜視図である。即ち、この例ではチャンバ−１の内部を仕切り壁１ｃにて完全に区画した例であり、仕切り壁１ｃの図示しない蓋部近傍において連通穴１ｅを形成し、両室間での排水の行き来をさせるものである。勿論、バイパス管１０の開口部１１の高さ１０ｄは、連通穴１ｅよりも低いことが好ましい。
【００３３】
図７は本発明の第６実施例を示す斜視図である。即ち、この例では二つのチャンバ−１、１を併設した例であり、各チャンバ−の図示しない蓋部近傍において連通管１ｆで連通させたものである。この例におけるバイパス管１０の開口部１１の高さ１０ｄは、連通管１ｆよりも低くする。この例は特にチャンバ−を設置する位置に柱等の障害物があった場合、チャンバ−側を分割し、障害物を避ける対策として有効である。
【産業上の利用可能性】
【００３４】
本発明は以上の通りであり、ＵＢを初めとして、洗濯機、洗面器、キッチン等の全ての水廻り器具からの溜め流し排水に広く適用可能であり、その利用範囲は極めて広い。
【図面の簡単な説明】
【００３５】
【図１】図１は本発明のサイフォン排水システムの第１例を示す側面図（Ａ）及び平面図（Ｂ）である。
【図２】図２は本発明のサイフォン排水システムの第２例を示す側面図（Ａ）及び平面図（Ｂ）である。
【図３】図３は図２に示す本発明のサイフォン排水システムの第２例の変形例を示す側面図である。
【図４】図４は本発明のサイフォン排水システムの第３例を示す斜視図である。
【図５】図５は本発明のサイフォン排水システムの第４例を示す斜視図（Ａ）及び側面図（Ｂ）である。
【図６】図６は本発明のサイフォン排水システムの第５例を示す斜視図である。
【図７】図７は本発明のサイフォン排水システムの第６例を示す斜視図である。
【符号の説明】
【００３６】
１‥貯留部（チャンバ−）、
１ａ‥チャンバ−の周縁、
１ｂ‥チャンバ−の底部、
１ｃ‥仕切り部材、
１ｄ‥連通部、
１ｅ‥連通穴、
１ｆ‥連通管、
２‥水廻り器具からの排水管、
３‥横引き管、
３ａ‥横引き管３の開口部、
４‥床スラブ、
１０‥バイパス管、
１０ａ‥バイパス管の径、
１０ｂ‥バイパス管と横引き管との接合部とチャンバ−との間隔、
１０ｃ‥バイパス管の背丈、
１０ｄ‥バイパス管の開口部の高さ、
１１‥バイパス管の開口部。
【図１】
2007278058.tif 000003
【図２】
2007278058.tif 000004
【図３】
2007278058.tif 000005
【図４】
2007278058.tif 000006
【図５】
2007278058.tif 000007
【図６】
2007278058.tif 000008
【図７】
2007278058.tif 000009